(57)【要約】【課題】コスト増を招くことなく良好な操作性で再封緘可能な収納カートンを提供する。【解決手段】収納空間１ａを隔てて互いに対向する第１側板部１１及び第２側板部１２と、第３側板部１３及び第４側板部１４と、第１端板部２１と第２端板部２２とを有する。第１端板部は、内側フラップと、内側フラップに重ね合わされる第１外側フラップと、第１外側フラップの外側に接合される第２外側フラップとを含む。第２外側フラップは、第２方向の中心部を挟んだ両側に配置され第１折り曲げ線側の先端から第２折り曲げ線に亘って形成された一対の第２破断線と第２折り曲げ線とで区画された起函片４１と、起函片の第２方向の中央に配置され、第２破断線で破断して起函させた起函片を折り曲げたときに起函片から突出する差し込み片４２と、を有する。第４側板部は、差し込み片が挿入されるスリット部５５を有する。【選択図】図１
2019094099.tif 000002
【特許請求の範囲】
【請求項１】
ブランクシートを組み立てて形成され収納空間を有する収納カートンにおいて、
前記収納空間を隔てて互いに対向する第１側板部及び第２側板部と、前記第１側板部及び前記第２側板部と隣り合い前記収納空間を隔てて互いに対向する第３側板部及び第４側板部と、を有する第１方向に延びる四角筒状の角筒部と、
前記角筒部の開口部を覆う第１端板部及び第２端板部とを有し、
前記第１端板部は、前記第１側板部及び前記第２側板部の端部からそれぞれ延出し折り曲げられた内側フラップと、前記第３側板部の端部から延出し前記第１方向と直交する第２方向に延びる第１折り曲げ線で折り曲げられて前記内側フラップに重ね合わされる第１外側フラップと、前記第４側板部の端部から延出し前記第２方向に延びる第２折り曲げ線で折り曲げられて前記第１外側フラップの外側に接合される第２外側フラップとを含み、
前記第３側板部における前記第１端板部側に前記第２方向に沿って形成された第３折り曲げ線と、前記第１側板部、第２側板部及び第４側板部に亘って形成され前記第３折り曲げ線の一端と他端とに接続された第１破断線とによって区画され、前記第１破断線が破断されたときに前記第３折り曲げ線を中心として揺動可能な蓋部を備え、
前記第２外側フラップは、前記第２方向の中心部を挟んだ両側に配置され前記第１折り曲げ線側の先端から前記第２折り曲げ線に亘って形成された一対の第２破断線と前記第２折り曲げ線とで区画された起函片と、
前記起函片の前記第２方向の中央に配置され、前記第２破断線で破断して起函させた前記起函片を折り曲げたときに前記起函片から突出する差し込み片と、を有し、
前記第４側板部は、前記差し込み片が挿入されるスリット部を有することを特徴とする収納カートン。
【請求項２】
前記差し込み片が前記スリット部に挿入される方向は、前記第３折り曲げ線を中心として前記蓋部が揺動する方向のうち、前記蓋側の前記第４側板部と本体側の前記第４側板部とが離間して前記蓋部が開く方向であることを特徴とする請求項１記載の収納カートン。
【請求項３】
前記差し込み片は、前記第２方向の端部が前記起函片の両端縁から離間し、前記第２方向の中央が前記端部よりも前記第２折り曲げ線側に突出していることを特徴とする請求項２記載の収納カートン。
【請求項４】
前記第４側板部は、前記スリット部の両端を起点として前記第２折り曲げ線から離れる方向に延びる切込み部と、前記スリット部とで囲まれて前記差し込み片の前記スリット部への挿入をガイドするガイド部を有し、
前記差し込み片は、前記ガイド部にガイドされて前記第２折り曲げ線から離れた側から前記第２折り曲げ線に接近する方向に前記スリット部に挿入されることを特徴とする請求項３記載の収納カートン。
【請求項５】
前記第４側板部における前記第１破断線は、前記第２方向の中央に配置され前記第２折り曲げ線に向けて凸形状に膨出する膨出部と、前記膨出部の前記第２方向の端部からそれぞれ前記第２方向に延びる直線部とを含むことを特徴とする請求項１から４のいずれか一項に記載の収納カートン。
【請求項６】
前記第１方向に関して、前記第３折り曲げ線は、前記第１折り曲げ線よりも前記第２端板部側に配置され、前記第４側板部における前記第１破断線は前記第３折り曲げ線よりも前記第２端板部側に配置されており、
前記第１側板部及び前記第２側板部における前記第１破断線は、前記第１方向及び前記第２方向と直交する第３方向に対して交差する方向に延び、前記第３折り曲げ線の端部と前記直線部の端部とを接続していることを特徴とする請求項５記載の収納カートン。
【請求項７】
前記第１側板部及び前記第２側板部における前記第１破断線は、前記第４側板部の前記第２方向の側縁のうち、前記蓋部側の側縁と鋭角で交差していることを特徴とする請求項６記載の収納カートン。
【請求項８】
前記起函片は、前記第２方向の中心部に前記差し込み片と離間した位置に、貫通孔で形成されたフック掛け部を有し、
前記フック掛け部は、前記起函片を前記第２破断線で破断して起函させたときに、前記第１方向及び前記第２方向と直交する第３方向に前記起函片を貫通することを特徴とする請求項１から７のいずれか一項に記載の収納カートン。
【発明の詳細な説明】
【技術分野】
【０００１】
本発明は、収納カートンに関するものである。
【背景技術】
【０００２】
食品等を収納する袋として用いられるジッパー付きバッグ等の包装としては、求められる機能にバージン性や再封緘性がある。例えば、特許文献１には、内容物を収容する収容体と、その上部に設けられた蓋体とを備え、収容体の側面の接着フラップに再封緘手段が設けられたリクローズカートンが開示されている。
【０００３】
特許文献２には、上蓋片とその先端に折罫線を介して設けられた差込片と、フック掛け部を有し、開封・再封のための開封用破断線と折罫線で囲まれた押込み部により形成された包装箱が開示されている。
【先行技術文献】
【特許文献】
【０００４】
【特許文献１】特許第５７７２４１６号公報
【特許文献２】実用新案登録第３１７７５９６号公報
【発明の概要】
【発明が解決しようとする課題】
【０００５】
しかしながら、特許文献１に記載されたカートンでは、再封緘手段が側面に配置されているため、開封及び再封緘の操作を正面側から実施した際に再封緘手段が視認しづらく操作性に劣るという問題がある。また、特許文献１に記載されたカートンでは、再封緘手段が蓋体の回動軸に近接して配置されるため、開封時に蓋体を回動する角度が大きくなり、さらに操作性が悪化する可能性がある。
【０００６】
特許文献２に記載された包装箱は、係止片及び突起等、バージン性を確保するために包装後の改ざんを防ぐ構成を開示しているが、開封後の再封緘性については言及していない。また、特許文献２に記載された包装箱は、係止片及び突起等を設けるためにブランクシートの面積が大きくなっておりコスト増を招くという問題が生じる。
【０００７】
本発明は、以上のような点を考慮してなされたもので、コスト増を招くことなく良好な操作性で再封緘可能な収納カートンを提供することを目的とする。
【課題を解決するための手段】
【０００８】
本発明の第１の態様に従えば、ブランクシートを組み立てて形成され収納空間を有する収納カートンにおいて、前記収納空間を隔てて互いに対向する第１側板部及び第２側板部と、前記第１側板部及び前記第２側板部と隣り合い前記収納空間を隔てて互いに対向する第３側板部及び第４側板部と、を有する第１方向に延びる四角筒状の角筒部と、前記角筒部の開口部を覆う第１端板部及び第２端板部とを有し、前記第１端板部は、前記第１側板部及び第２側板部の端部からそれぞれ延出し折り曲げられた内側フラップと、前記第３側板部の端部から延出し前記第１方向と直交する第２方向に延びる第１折り曲げ線で折り曲げられて前記内側フラップに重ね合わされる第１外側フラップと、前記第４側板部の端部から延出し前記第２方向に延びる第２折り曲げ線で折り曲げられて前記第１外側フラップの外側に接合される第２外側フラップとを含み、前記第３側板部における前記第１端板部側に前記第２方向に沿って形成された第３折り曲げ線と、前記第１側板部、第２側板部及び第４側板部に亘って形成され前記第３折り曲げ線の一端と他端とに接続された第１破断線とによって区画され、前記第１破断線が破断されたときに前記第３折り曲げ線を中心として揺動可能な蓋部を備え、前記第２外側フラップは、前記第２方向の中心部を挟んだ両側に配置され前記第１折り曲げ線側の先端から前記第２折り曲げ線に亘って形成された一対の第２破断線と前記第２折り曲げ線とで区画された起函片と、前記起函片の前記第２方向の中央に配置され、前記第２破断線で破断して起函させた前記起函片を折り曲げたときに前記起函片から突出する差し込み片と、を有し、前記第４側板部は、前記差し込み片が挿入されるスリット部を有することを特徴とする収納カートンが提供される。
【０００９】
また、上記本発明の一態様に係る収納カートンにおいて、前記差し込み片が前記スリット部に挿入される方向は、前記第３折り曲げ線を中心として前記蓋部が揺動する方向のうち、前記蓋側の前記第４側板部と本体側の前記第４側板部とが離間して前記蓋部が開く方向であることを特徴とする。
【００１０】
また、上記本発明の一態様に係る収納カートンにおいて、前記差し込み片は、前記第２方向の端部が前記起函片の両端縁から離間し、前記第２方向の中央が前記端部よりも前記第２折り曲げ線側に突出していることを特徴とする。
【００１１】
また、上記本発明の一態様に係る収納カートンにおいて、前記第４側板部は、前記スリット部の両端を起点として、前記第２折り曲げ線から離れる方向に延びる切込み部と前記スリット部とで囲まれて前記差し込み片の前記スリット部への挿入をガイドするガイド部を有し、前記差し込み片は、前記ガイド部にガイドされて前記第２折り曲げ線から離れた側から前記第２折り曲げ線に接近する方向に前記スリット部に挿入されることを特徴とする。
【００１２】
また、上記本発明の一態様に係る収納カートンにおいて、前記第４側板部における前記第１破断線は、前記第２方向の中央に配置され前記第２折り曲げ線に向けて凸形状に膨出する膨出部と、前記膨出部の前記第２方向の端部からそれぞれ前記第２方向に延びる直線部とを含むことを特徴とする。
【００１３】
また、上記本発明の一態様に係る収納カートンにおいて、前記第１方向に関して、前記第３折り曲げ線は、前記第１折り曲げ線よりも前記第２端板部側に配置され、前記第４側板部における前記第１破断線は前記第３折り曲げ線よりも前記第２端板部側に配置されており、前記第１側板部及び前記第２側板部における前記第１破断線は、前記第１方向及び前記第２方向と直交する第３方向に対して交差する方向に延び、前記第３折り曲げ線の端部と前記直線部の端部とを接続していることを特徴とする。
【００１４】
また、上記本発明の一態様に係る収納カートンにおいて、前記第１側板部及び前記第２側板部における前記第１破断線は、前記第４側板部の前記第２方向の側縁のうち、前記蓋部側の側縁と鋭角で交差していることを特徴とする。
【００１５】
また、上記本発明の一態様に係る収納カートンにおいて、前記起函片は、前記第２方向の中心部に前記差し込み片と離間した位置に、貫通孔で形成されたフック掛け部を有し、前記フック掛け部は、前記起函片を前記第２破断線で破断して起函させたときに、前記第１方向及び前記第２方向と直交する第３方向に前記起函片を貫通することを特徴とする。
【発明の効果】
【００１６】
本発明では、コスト増を招くことなく良好な操作性で再封緘可能な収納カートンを提供できる。
【図面の簡単な説明】
【００１７】
【図１】本発明の実施の形態を示す図であって、収納カートン１の外観斜視図である。
【図２】同収納カートン１を形成するブランクシート３０の平面図である。
【図３】図１における第１端板部２１を＋Ｚ側から視た平面図である。
【図４】図１における第４側板部１４の＋Ｚ側の一部を−Ｘ側から視た図である。
【図５】図１における第１側板部１１の＋Ｚ側の一部を＋Ｙ側から視た図である。
【図６】起函片４１を起函させた状態を示す斜視図である。
【図７】収納カートン１の開封手順を示す図である。
【図８】収納カートン１の開封手順を示す図である。
【図９】収納カートン１の再封緘手順を示す図である。
【図１０】収納カートン１の再封緘手順を示す図である。
【発明を実施するための形態】
【００１８】
以下、本発明の収納カートンの実施の形態を、図１ないし図１０を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１９】
図１は、収納カートン１の外観斜視図である。図２は、収納カートン１を形成するブランクシート３０の平面図である。
【００２０】
収納カートン１は、図１に示されるように、内部に収納空間１ａを有する略直方体形状に形成されている。収納カートン１は、長さ方向（図１中、上下方向）に延びる角筒部１０と、角筒部１０の上端側開口を覆う第１端板部２１と、角筒部１０の下端側開口を覆う第２端板部２２とを有している。
【００２１】
角筒部１０は、内部空間１ａを隔てて互いに対向する第１側板部１１及び第２側板部１２と、第１側板部１１及び第２側板部１２と隣り合い内部空間１ａを隔てて互いに対向する第３側板部１３及び第４側板部１４とを有する四角柱状に形成されている。本実施形態では、第３側板部１３及び第４側板部１４の幅は、第１側板部１１及び第２側板部１２の幅よりも長く設定されている。
【００２２】
なお、以下では、角筒部１０の延びる方向をＺ方向（第１方向）とし、Ｚ方向と直交し第３側板部１３及び第４側板部１４の幅方向をＹ方向（第２方向）とし、Ｚ方向及びＹ方向と直交し第１側板部１１及び第２側板部１２の幅方向をＸ方向（第３方向）として適宜説明する。
【００２３】
ブランクシート３０は、板紙で形成されており、紙の坪量は２００〜５００ｇ／ｍ２が好ましく、更に好ましくは２５０〜４００ｇ／ｍ２である。板紙の材質としては、カード紙、コートボール紙などが適用可能であるが、繰り返し再封緘することを考慮すると比較的硬めのカード紙が好適である。
【００２４】
ブランクシート３０は、例えば、カード紙を打ち抜いて形成されている。図２に示されるように、ブランクシート３０は、左側から折り線３１〜３３を介して、第３側板部１３、第２側板部１２、第４側板部１４及び第１側板部１１が順次配置されている。第１側板部の第４側板部１４と逆側には、折り線３４を介して接着部１５が張り出している。接着部１５は、ブランクシート３０を組み立てて、収納カートン１を形成する際に第３側板部１３の裏面側に接着される。
【００２５】
ブランクシート３０は、第１側板部１１の長さ方向両端からそれぞれ折り線３５Ａ、３５Ｂを介して延出する内側フラップ１１Ａ、１１Ｂを有している。ブランクシート３０は、第２側板部１２の長さ方向両端からそれぞれ折り線３６Ａ、３６Ｂを介して延出する内側フラップ１２Ａ、１２Ｂを有している。
【００２６】
ブランクシート３０は、第３側板部１３の長さ方向両端からそれぞれ折り線（第１折り曲げ線）３７Ａ、３７Ｂを介して延出する第１外側フラップ１３Ａ、１３Ｂを有している。ブランクシート３０は、第４側板部１４の長さ方向両端からそれぞれ折り線３８Ａ、３８Ｂを介して延出する第２外側フラップ１４Ａ、１４Ｂを有している。
【００２７】
角筒部１０は、ブランクシート３０における折り線３１〜３４を山折りし、接着部１５を第３側板部１３の裏面側に接着することにより形成される。第１端板部２１は、角筒部１０の状態から内側フラップ１１Ａ、１２Ａを、角筒部１０の開口部を覆うように折り線３５Ａ、３６Ａで内側に山折りし、第１外側フラップ１３Ａを折り線３７Ａで内側に山折りして内側フラップ１１Ａ、１２Ａに重ね合わせ、さらに、第２外側フラップ１４Ａを折り線３８Ａで内側に山折りしホットメルト等の接着剤で第１外側フラップ１３Ａの外側に接合することにより形成される。すなわち、第１端板部２１は、内側フラップ１１Ａ、１２Ａ、第１外側フラップ１３Ａ及び第２外側フラップ１４Ａを含んで形成されている。
【００２８】
第２端板部２２は、角筒部１０の状態から内側フラップ１１Ｂ、１２Ｂを、角筒部１０の開口部を覆うように折り線３５Ｂ、３６Ｂで内側に山折りし、第１外側フラップ１３Ｂを折り線３７Ｂで内側に山折りして内側フラップ１１Ｂ、１２Ｂに重ね合わせ、さらに、第２外側フラップ１４Ｂを折り線３８Ｂで内側に山折りし上記接着剤で第１外側フラップ１３Ｂの外側に接合することにより形成される。すなわち、第２端板部２２は、内側フラップ１１Ｂ、１２Ｂ、第１外側フラップ１３Ｂ及び第２外側フラップ１４Ｂを含んで形成されている。
【００２９】
従って、角筒部１０を形成した後に、第１外側フラップ１３Ａを折り線３７Ａで内側に山折りし内側フラップ１１Ａ、１２Ａに重ね合わせることにより、角筒部１０の一方の開口部は、第１外側フラップ１３Ａにより覆われる。また、第２外側フラップ１４Ａを折り線３８Ａで内側に山折りし第１外側フラップ１３Ａの外側に接合した際には、角筒部１０の一方の開口部が閉塞される。この時第２外側フラップ１４Ａの延出側端縁は、折り線３７Ａよりも折り線３８Ａ側に位置する。
【００３０】
また、角筒部１０を形成した後に、第１外側フラップ１３Ｂを折り線３７Ｂで内側に山折りし内側フラップ１１Ｂ、１２Ｂに重ね合わせることにより、角筒部１０の他方の開口部は、第１外側フラップ１３Ｂにより覆われる。また、第２外側フラップ１４Ｂを折り線３８Ｂで内側に山折りし第１外側フラップ１３Ｂの外側に接合した際には、角筒部１０の他方の開口部が閉塞される。
【００３１】
図３は、図１における第１端板部２１を＋Ｚ側から視た平面図である。図３に示されるように、第１端板部２１は、＋Ｚ側の表面に第２外側フラップ１４Ａが、折り線３７Ａと先端が離間した状態で露出して設けられている。第２外側フラップ１４Ａは、Ｙ方向の中心部を挟んだ両側に配置された一対の第２破断線４０を有している。各第２破断線４０は、折り線３７Ａ側の先端から折り線３８Ａに亘ってＸ方向に沿って形成されている。
【００３２】
第２外側フラップ１４Ａは、一対の第２破断線４０と折り線３８Ａとで区画された起函片４１を有している。起函片４１は、第２破断線４０を破断することにより一対の第２破断線４０の間の折り線３８Ａを中心としてＹ軸周りに起函可能である。そのため、第２外側フラップ１４Ａは、起函片４１を除いた領域で第１外側フラップ１３Ａに接着されている。起函片４１は、Ｙ方向の中心部に差し込み片４２とフック掛け部４４とを有している。
【００３３】
差し込み片４２は、フック掛け部４４よりも＋Ｘ側に離間して配置され、起函片４１において切込み線４３で区画されている。切込み線４３は、Ｙ方向の両端が第２破断線４０からそれぞれ離間している。切込み線４３は、Ｙ方向の中央が端部よりも折り線３８Ａ側（−Ｘ側）に突出している。従って、切込み線４３で区画された差し込み片４２は、Ｙ方向の両端が起函片の両端縁から離間し、Ｙ方向の中央が端部よりも折り線３８Ａ側（−Ｘ側）に突出している。切込み線４３の端部と第２破断線４０とは、Ｙ方向に延びる折り線３９で接続されている。
【００３４】
フック掛け部４４は、起函片４１を厚さ方向に貫通する貫通孔で形成されている。フック掛け部４４は、＋Ｚ側から視た平面視で円形に形成されている。
【００３５】
図２に戻り、第３側板部１３は、長手方向の中央部よりも第１端板部２１側で、折り線３７Ａよりも第２端板部２２側に配置された第３折り曲げ線としてのリード罫５０を有している。第３折り曲げ線としては、リード罫の他に罫線であってもよいが、可動性が良好なことから、後述する蓋部５４の開閉可能（揺動可能）な支点としてはリード罫が好ましい。リード罫５０は、折り線３７Ａと平行な方向（図１におけるＹ方向）に両端まで延びている。接続部１５は、第３側板部１３と接着されたときにリード罫５０と重なる位置に第３破断線５０Ａが形成されている。収納カートン１は、図１及び図２に示されるように、第２側板部１２、第４側板部１４及び第１側板部１１に亘って順次形成されリード罫５０の一端と他端とを接続する第１破断線５１を有している。第１破断線５１は、一例として、複数の切込み線の少なくとも一部が複数の直線で形成されたジッパー形式の破断線である。
【００３６】
第４側板部１４に形成された第１破断線５１は、リード罫５０よりも第２端板部２２側に配置されている。図４は、図１における第４側板部１４の＋Ｚ側の一部を−Ｘ側から視た図である。図４に示されるように、第１破断線５１は、Ｙ方向の中央に配置され折り線３８Ａに向けて凸形状に膨出する膨出部５２と、膨出部５２のＹ方向の端部からそれぞれＹ方向に直線的に延びる直線部５３とを含む。
【００３７】
図５は、図１における第１側板部１１の＋Ｚ側の一部を＋Ｙ側から視た図である。なお、第１側板部１１に形成された第１破断線５１と、第２側板部１２に形成された第１破断線５１とは同様の構成であるため、ここでは第１側板部１１に形成された第１破断線５１について説明し、第２側板部１２に形成された第１破断線５１の説明は省略する。第１側板部１１に形成された第１破断線５１は、第４側板部１４に形成された第１破断線５１における直線部５３の端部と、第３側板部１３に形成されたリード罫５０の端部とを接続する直線状に形成されている。すなわち、第１側板部１１に形成された第１破断線５１は、図５に示されるように、Ｘ軸と交差する傾きで形成されている。
【００３８】
収納カートン１における＋Ｚ側の端部には、リード罫５０と第１破断線５１とによって区画され、第１破断線５１が破断されたときにリード罫５０を中心としてＹ軸周りに揺動可能な蓋部５４が形成される。
【００３９】
図４に戻り、第４側板部１４は、第１破断線５１よりも−Ｚ側でＹ方向の中央に配置されたスリット部５５及びガイド部５６を有している。スリット部５５は、Ｙ方向に延びる直線状に形成され第４側板部１４を貫通している。スリット部５５の長さは、差し込み片４２のＹ方向の最大長さよりも長く、且つ、折り線３９の差し渡し長さよりも短く形成されている。折り線３８Ａからスリット部５５までの距離は、折り線３８Ａから折り線３９までの距離と略同一である。
【００４０】
スリット部５５の両端は、スリット部５５の両端を起点として、折り線３８Ａから離れる方向に形成された切込み部５７に接している。切込み部５７は、曲率中心がスリット部５５の端部よりも−Ｚ側に配置され、第４側板部１４のＹ方向の外側に膨出する半円形状に形成されている。
【００４１】
ガイド部５６は、切込み部５７とスリット部５５とで囲まれた領域に配置されている。ガイド部５６は、スリット部５５におけるＹ方向の中央から−Ｚ側に延びる切込み部５８を有している。
【００４２】
上記構成の収納カートン１における収納空間１ａへの収納物としては特に限定されず、例えば、食品等を収納するジッパー付きバッグ等の袋体が例示される。袋体を収納空間１ａに収納する場合には、二つ折り、三つ折り、筒状に丸める等、適宜選択することが可能である。
【００４３】
次に、上記構成の収納カートン１の使用方法について、図６乃至図１０を参照して説明する。
【００４４】
［収納カートン１の陳列］
袋体等の収納物を収納した収納カートン１は、第１側板部１１〜第４側板部１４のいずれかが載置面として水平面と平行な状態で棚等に載置される横置き、あるいは、図１に示されるように、Ｚ方向を鉛直方向（上下方向）とする縦置きのいずれの状態でも陳列可能である。
【００４５】
縦置きの場合は、第２端板部２２が載置面として水平面と平行な状態で棚等に載置されて陳列する場合、あるいは、フック掛け部４４を除去することで形成された貫通孔にフックに掛けて陳列する場合を選択可能である。
【００４６】
フック掛けによる陳列を選択した場合、図６に示すように、第１端板部２１における起函片４１の先端を摘んで折り線３８Ａ周りに引き起こす。起函片４１の先端を第２外側フラップ１４Ａから引き起こすことにより、第２破断線４０が破断され、起函片４１は、ＺＹ平面と略平行に起函される。起函した起函片４１には、Ｘ方向に貫通する貫通孔で形成されたフック掛け部４４が設けられる。Ｚ方向を鉛直方向とする場合、Ｘ方向は水平方向となるため、店頭において略水平方向に設けられているフックをフック掛け部４４に挿通させることにより、収納カートン１をフック掛けにて陳列可能となる。
【００４７】
なお、第１端板部２１においては、折り線３７Ａで内側に山折りした第１外側フラップ１３Ａが筒部１０の開口部を覆っているため、起函片４１を第２外側フラップ１４Ａから起函した際にも収納空間１ａの封止状態は維持可能である。
【００４８】
［収納カートン１の開封］
収納カートン１を開封する際には、図７に示すように、例えば、親指を第４側板部１４に接触させ、他の指を第３側板部１３に接触させて角筒部１０を把持した状態で、第１破断線５１の膨出部５２を押し込む。膨出部５２は、折り線３８Ａ側に向けて凸形状に膨出し、親指の輪郭に沿った形状であるため、親指で押し込んだ際に効果的に膨出部５２を破断させることができる。
【００４９】
また、膨出部５２の両端はＹ方向に離間しており、直線部５３が膨出部５２の端部からＹ方向に延びているため、膨出部５２を押し込んで破断させた際に、破断が直線部５３に伝播しやすくなる。
【００５０】
次いで、膨出部５２が破断することで凹形状の輪郭となった蓋部５４側（＋Ｚ側）の第１破断線５１に親指の腹を係合させ＋Ｚ側に力を付与する。親指の腹が凹形状の輪郭の第１破断線５１にフィットして係合するため、効果的に蓋部５４側への力を付与することができる。ここで、図５に示したように、力が付与される蓋部５４側の折り線３３と、第１側板部１１（第２側板部１２）に形成された第１破断線５１とは鋭角に交差しているため、第１側板部１１（第２側板部１２）の第１破断線５１が応力集中して破断しやすくなる。
【００５１】
このように、第１側板部１１、第２側板部１２及び第４側板部１４に亘って形成された第１破断線５１が破断されることにより、図８に示すように、リード罫５０を揺動中心として揺動することで収納空間１ａを開閉可能な蓋部５４が形成される。また、リード罫５０が揺動中心であるため、複数回の開封操作を容易に行うことが可能である。蓋部５４を本体に対して閉じた際には、本体側の膨出部５２が蓋部５４側の凹部と嵌合するため、蓋部５４が本体に対して直線部５３が延びる方向へのずれを抑制できる。
【００５２】
［収納カートン１の再封緘］
収納カートン１を再封緘する際には、起函片４１の先端を摘んで折り線３９で曲げることにより、差し込み片４２は折り線３９を中心として起函片４１から起き上がる。次いで、図９に示すように、起函片４１の先端を摘み、折り線３８Ａを中心として起函片４１を第４側板部１４側に折り返し、差し込み片４２をスリット部５５に挿入する。差し込み片４２は、起函片４１において折り線３８Ａ側に突出して形成されているため、差し込み片４２は、折り線３８Ａから離れた側から折り線３８Ａに接近する方向にスリット部５５に挿入される。
【００５３】
差し込み片４２をスリット部５５に挿入する際には、差し込み片４２の先端をガイド部５６に当接させる。図１０は、差し込み片４２がスリット部５５に挿入された領域の断面図である。ガイド部５６は、スリット部５５に対して折り線３８Ａより遠い側で第４側板部１４に設けられているため、差し込み片４２の先端が当接した際には、図１０に示されるように、ガイド部５６は、差し込み片４２との接続部を基点としてスリット部５５側の端部が収納空間１ａ側に変形する。これにより、ガイド部５６における差し込み片４２と対向する側の面は、差し込み片４２がスリット部５５に挿入されるのに従って、折り線３８Ａに接近する方向に向かうにつれ収容空間１ａ側に傾く傾斜面となる。特に、ガイド部５６には、長手方向の中央部に切込み部５８形成されているため、ガイド部５６は容易に変形する。
【００５４】
従って、差し込み片４２の先端をガイド部５６に当接させると、ガイド部５６が変形して形成された傾斜面にガイドされて折り線３８Ａに接近する方向に容易に挿入することができる。差し込み片４２がスリット部５５に挿入されると、差し込み片４２のＹ方向両側に位置する起函片４１が、図１０に示すように、スリット部５５よりも折り線３８Ａ側の第４側板部１４に係合する。
【００５５】
差し込み片４２がスリット部５５に挿入され、起函片４１が第４側板部１４に係合する方向は、リード罫５０を中心として蓋部５４が開く方向である。より詳細には、起函片４１が第４側板部１４に係合する方向は、リード罫５０を中心として蓋部５４側の第４側板部１４と本体側の第４側板部１４とが離間して蓋部５４が開く方向である。そのため、起函片４１が第４側板部１４に係合することにより、蓋部５４の開封がロックされる。ロックを解除して蓋部５４を開封するには、起函片４１の先端を摘んで差し込み片４２を折り線３８Ａから離れる方向に移動させてスリット部５５から離脱させればよい。
【００５６】
以上説明したように、本実施形態の収納カートン１では、Ｙ方向の中央部に配置された起函片４１を操作して、当該起函片４１に設けられた差し込み片４２を本体正面側のスリット部５５に挿入することで蓋部５４を再封緘するため、視認性が良好な状態で再封緘操作を実施できる。また、本実施形態の収納カートン１では、第２外側フラップ１４Ａの一部を破断することにより起函片４１が形成されるため、起函片４１を設けるためにブランクシート３０を大型化させる必要がなくコスト増を抑制できる。
【００５７】
また、本実施形態の収納カートン１では、差し込み片４２がスリット部５５に挿入されて係合する方向が蓋部５４を開く方向であるため、意図しない状況で蓋部５４が開いてしまうことを抑制できる。加えて、本実施形態の収納カートン１では、差し込み片４２をスリット部５５に挿入する際にガイド部５６によって挿入方向がガイドされるため再封緘時の操作性を向上させることができる。
【００５８】
また、本実施形態の収納カートン１では、第１破断線５１が膨出部５２を有しており指での押し込みが容易なため、開封初期時における第１破断線５１の破断開始が容易になる。また、本実施形態の収納カートン１では、再封緘したときに膨出部５２によって蓋部５４と本体との位置ずれを抑制できる。さらに、本実施形態の収納カートン１では、膨出部５２の端部から折り線３８Ａと平行に直線部５３が延びているため、膨出部５２の押し込みで生じた破断が伝播しやすくなり、第４側板部１４における第１破断線５１を容易に破断させることができる。加えて、本実施形態の収納カートン１では、第１側板部１１及び第２側板部１２における第１破断線５１が、力が付与される蓋部５４側の折り線３３及び折り線３２と鋭角に交差しているため応力集中して破断しやすくなる。
【００５９】
また、本実施形態の収納カートン１では、起函片４１にフック掛け部４４が設けられているため、起函片４１を起函させることにより、フック掛け陳列にも容易に対応することが可能である。
【００６０】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００６１】
例えば、上記実施形態では、収納カートン１が直方体形状であり、長手方向の端部に起函片４１を設ける構成を例示したが、この構成に限定されず、例えば、第１側板部１１〜第４側板部１４のいずれかに起函片を設ける構成であってもよい。また、収納カートン１としては、直方体形状に限定されず、立方体形状であってもよい。
【符号の説明】
【００６２】
１…収納カートン、  １ａ…収納空間、  １０…角筒部、  １１…第１側板部、  １１Ａ、１２Ａ…内側フラップ、  １２…第２側板部、  １３…第３側板部、  １３Ａ…第１外側フラップ、  １４…第４側板部、  １４Ａ…第２外側フラップ、  ２１…第１端板部、  ２２…第２端板部、  ３０…ブランクシート、  ３７Ａ…折り線（第１折り曲げ線）、  ３８Ａ…折り線（第２折り曲げ線）、  ４０…第２破断線、  ４１…起函片、  ４２…差し込み片、  ４４…フック掛け部、  ５０…リード罫（第３折り曲げ線）、  ５０Ａ…第３破断線、  ５１…第１破断線、  ５２…膨出部、  ５３…直線部、  ５４…蓋部、  ５５…スリット部、  ５６…ガイド部、  ５７…切込み部
【図１】
2019094099.tif 000003
【図２】
2019094099.tif 000004
【図３】
2019094099.tif 000005
【図４】
2019094099.tif 000006
【図５】
2019094099.tif 000007
【図６】
2019094099.tif 000008
【図７】
2019094099.tif 000009
【図８】
2019094099.tif 000010
【図９】
2019094099.tif 000011
【図１０】
2019094099.tif 000012